【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
ベース固定具を有し、該ベース固定具が、これを基板に接着するための硬化性接着剤を受入れるベース表面を形成し、
ベース表面が基板に対して着座したときに、それぞれ、基板から少なくとも僅かに後退した第一位置と、基板に向かって前進した第二位置との間で移動できるようにベース固定具により支持されたアタッチメントコンポーネントと、
アタッチメントコンポーネントが第二位置にあってベース表面が基板に着座しているとき、ベース表面と基板との間に介在された接着剤の少なくとも硬化時間中に、少なくとも一時的にアタッチメントコンポーネントを基板に固定しかつベース固定具のベース表面をポジティブな力で基板に対して押付けるスプリング作用アタッチメント手段とを更に有することを特徴とする自己固定接着アタッチメント。
【請求項２】
前記ベース固定具のベース表面上の硬化性接着剤を更に有することを特徴とする請求項１記載の自己固定接着アタッチメント。
【請求項３】
前記ベース固定具のベース表面は、アタッチメントコンポーネントを全体的に取囲んでいることを特徴とする請求項１記載の自己固定接着アタッチメント。
【請求項４】
前記ベース表面は、全体として環状の形状を有していることを特徴とする請求項３記載の自己固定接着アタッチメント。
【請求項５】
前記スプリング作用アタッチメント手段は感圧接着部材からなり、該感圧接着部材が、アタッチメントコンポーネントにより支持されて該アタッチメントコンポーネントを少なくとも一時的に基板に固定する第一部分と、ベース固定具により支持された第二部分と、第一部分と第二部分との間で延びていて、アタッチメントコンポーネントが前記第二位置位置にあってベース表面が基板に着座しているときに引張られて伸び、基板に対してベース固定具を引寄せる第三部分とを有していることを特徴とする請求項１記載の自己固定接着アタッチメント。
【請求項６】
前記アタッチメントコンポーネントは、ボルトヘッドおよび細長ねじシャンクを備えたねじボルトを有し、ベース固定具の裏側には、ボルトヘッドを受入れるための凹状キャビティが形成されており、ボルトシャンクは、ベース固定具の前側に露出しかつアクセスできるように、ベース固定具に形成されたポートを通って突出することを特徴とする請求項５記載の自己固定接着アタッチメント。
【請求項７】
前記ボルトは更に、ボルトヘッドとシャンクとの間に介在された非円形断面をもつボルトショルダを有し、前記ポートは、ボルトショルダを受入れるための嵌合形状をもつ非円形断面を有することを特徴とする請求項６記載の自己固定接着アタッチメント。
【請求項８】
前記アタッチメントコンポーネントは、前記第一と第二位置との間で移動できるようにベース固定具により可動支持されるボタンを有していることを特徴とする請求項５記載の自己固定接着アタッチメント。
【請求項９】
前記ベース固定具は接続箱からなることを特徴とする請求項８記載の自己固定接着アタッチメント。
【請求項１０】
前記スプリング作用アタッチメント手段は更に、アタッチメントコンポーネントを基板に少なくとも一時的に固定する爪を有していることを特徴とする請求項５記載の自己固定接着アタッチメント。
【請求項１１】
前記スプリング作用アタッチメント手段は、アタッチメントコンポーネントを基板に少なくとも一時的に固定する爪と、アタッチメントコンポーネントが前記第二位置にあってベース表面が基板に着座しているときに、アタッチメントコンポーネントとベース固定具との間で反作用して基板に対してベース固定具を押付けるスプリングとを有することを特徴とする請求項１記載の自己固定接着アタッチメント。
【請求項１２】
前記アタッチメントコンポーネントは爪が設けられたボルトヘッドおよび細長ねじシャンクを備えたねじボルトを有し、ベース固定具の裏側には、ボルトヘッドを受入れるための凹状キャビティが形成されており、ボルトシャンクは、ベース固定具の前側に露出しかつアクセスできるように、ベース固定具に形成されたポートを通って突出し、スプリングは、ボルトシャンクとベース固定具との間で反作用して基板に対してベース固定具を押付けることを特徴とする請求項１１記載の自己固定接着アタッチメント。
【請求項１３】
前記ボルトは更に、ボルトヘッドとシャンクとの間に介在された非円形断面をもつボルトショルダを有し、前記ポートは、ボルトショルダを受入れるための嵌合形状をもつ非円形断面を有することを特徴とする請求項１２記載の自己固定接着アタッチメント。
【請求項１４】
前記アタッチメントコンポーネントは、前記第一と第二位置との間で移動できるようにベース固定具により可動支持されるボタンを有していることを特徴とする請求項１１記載の自己固定接着アタッチメント。
【請求項１５】
前記ベース固定具は接続箱からなることを特徴とする請求項１４記載の自己固定接着アタッチメント。
【請求項１６】
前記スプリング作用アタッチメント手段は更に、アタッチメントコンポーネントを基板に少なくとも一時的に固定する感圧接着部材を有していることを特徴とする請求項１１記載の自己固定接着アタッチメント。
【請求項１７】
前記アタッチメントコンポーネントはベース固定具により支持されたスナップリング組立体を有し、該スナップリング組立体は、前記第一位置と第二位置との間でベース固定具に対して移動できる中央ボタンを有していることを特徴とする請求項１記載の自己固定接着アタッチメント。
【請求項１８】
ベース固定具を有し、該ベース固定具が、これを基板に接着するための硬化性接着剤を受入れるベース表面を形成し、
ベース表面が基板に対して着座したときに、それぞれ、基板から少なくとも僅かに後退した第一位置と、基板に向かって前進した第二位置との間で移動できるようにベース固定具により支持されたアタッチメントコンポーネントと、
アタッチメントコンポーネントが第二位置にあってベース表面が基板に着座しているとき、ベース表面と基板との間に介在された接着剤の少なくとも硬化時間中に、少なくとも一時的にアタッチメントコンポーネントを基板に固定する固定手段と、
アタッチメントコンポーネントが第二位置にあってベース表面が基板に着座しているときに、ベース固定具のベース表面をポジティブな力で基板に対して押付けるスプリング手段とを更に有することを特徴とする自己固定接着アタッチメント。
【請求項１９】
前記ベース固定具のベース表面上の硬化性接着剤を更に有することを特徴とする請求項１８記載の自己固定接着アタッチメント。
【請求項２０】
前記ベース固定具のベース表面は、アタッチメントコンポーネントを全体的に取囲んでいることを特徴とする請求項１８記載の自己固定接着アタッチメント。
【請求項２１】
前記固定手段は爪を有していることを特徴とする請求項１８記載の自己固定接着アタッチメント。
【請求項２２】
前記アタッチメントコンポーネントは爪が設けられたボルトヘッドおよび細長ねじシャンクを備えたねじボルトを有し、ベース固定具の裏側には、ボルトヘッドを受入れるための凹状キャビティが形成されており、ボルトシャンクは、ベース固定具の前側に露出しかつアクセスできるように、ベース固定具に形成されたポートを通って突出し、スプリングは、ボルトシャンクとベース固定具との間で反作用して基板に対してベース固定具を押付けることを特徴とする請求項２１記載の自己固定接着アタッチメント。
【請求項２３】
前記スプリング手段は、アタッチメントコンポーネントが第二位置にあってベース表面が基板に着座しているときにベース固定具を基板に対して押付けるための、アタッチメントコンポーネントとベース固定具との間で反作用するスプリングを有していることを特徴とする請求項１８記載の自己固定接着アタッチメント。
【請求項２４】
前記固定手段は更に、アタッチメントコンポーネントを基板に少なくとも一時的に固定する感圧接着部材を有していることを特徴とする請求項１８記載の自己固定接着アタッチメント。
【請求項２５】
前記アタッチメントコンポーネントは、前記第一と第二位置との間で移動できるようにベース固定具により可動支持されるボタンを有していることを特徴とする請求項１８記載の自己固定接着アタッチメント。
【請求項２６】
前記アタッチメントコンポーネントはベース固定具により支持されたスナップリング組立体を有し、該スナップリング組立体は、前記第一位置と第二位置との間でベース固定具に対して移動できる中央ボタンを有していることを特徴とする請求項１８記載の自己固定接着アタッチメント。